(57)【要約】【課題】  米を供えるための供物台であり、かつ米を収容し携帯することもできる供物米用容器を提供する。【解決手段】  上面に開口部１１を有する箱体１と、該箱体１の上に載置される平板状の板部２１および該板部２１の周縁から上方に立設される縁部２２とからなる盆体２と、該盆体２の上に載置される略半球形の米収容体３と、を備え、前記米収容体３が、前記箱体１に収容可能な大きさであり、前記盆体２が、前記箱体１の開口部１１を閉塞できる。これにより、神社仏閣にお供えした米を、箱体に収容してそのまま持ち帰ることができるようになり、誰しもがお供えのご利益を得られる。【選択図】      図１
2009039430.tif 000002
【特許請求の範囲】
【請求項１】
上面に開口部（１１）を有する箱体（１）と、該箱体（１）の上に載置される平板状の板部（２１）および該板部（２１）の周縁から上方に立設される縁部（２２）とからなる盆体（２）と、該盆体（２）の上に載置される略半球形の米収容体（３）と、を備え、
前記米収容体（３）が、前記箱体（１）に収容可能な大きさであり、前記盆体（２）が、前記箱体（１）の開口部（１１）を閉塞できることを特徴とする供物米用容器。
【請求項２】
前記盆体（２）が、前記縁部（２２）の下端から内側に向けて延設される方立（２３）を有し、該方立（２３）が、その下端を軸に回動可能であることを特徴とする請求項１記載の供物米用容器。
【発明の詳細な説明】
【技術分野】
【０００１】
本発明は、神仏に米を供えるための供物台であり、かつ米を収容し携帯することもできる供物米用容器に関する。
【背景技術】
【０００２】
神仏に米を供える習慣は古くからあり、現在でも神社仏閣では大切な儀式・行事として続けられている。また、家庭においても、毎日神棚や仏壇に米をお供えする人は少なくない。これらのお供えは、神仏への敬意や自然の恵みへの感謝を表すものであり、お供えが済んだ後はお下がりとして食するのが一般的である。我々はこうした日々のお供えを通じて、食の大切さを思い起こすことができる。
【０００３】
しかしながら、社寺に参拝する人は多くても、上記のような儀式・行事に参加する人は限られ、実際にお供えをする人は少ない。また、最近は神棚や仏壇のない家庭も多くなっており、そのような家庭ではもちろんお供えの習慣もなく、お供えを通じて食の大切さを思い起こす機会が失われているという問題があった。
【発明の開示】
【発明が解決しようとする課題】
【０００４】
本発明は、上記事情を鑑みたものであり、米を供えるための供物台であり、かつ米を収容し携帯することもできる供物米用容器を提供するもので、これにより、神社仏閣にお供えした米をそのまま持ち帰ることができるようになり、誰しもがお供えのご利益を得られるようにすることを目的とする。
【課題を解決するための手段】
【０００５】
本発明のうち請求項１の発明は、上面に開口部を有する箱体と、該箱体の上に載置される平板状の板部および該板部の周縁から上方に立設される縁部とからなる盆体と、該盆体の上に載置される略半球形の米収容体と、を備え、前記米収容体が、前記箱体に収容可能な大きさであり、前記盆体が、前記箱体の開口部を閉塞できることを特徴とする。箱体は、上面のみが開口しており、その水平方向断面はどのような形状であってもよいが、供花（供笥）として用いる場合は正六角形や正八角形、三方として用いる場合は正方形や正方形の角を切り取った八角形であることが望ましい。また、盆体の板部は、箱体の水平方向断面形状と同形で、大きさは一回り大きく、その周縁から垂直に縁部が形成される。さらに、米収容体は、開閉可能な蓋部を有し、内部に米を収容することができる。この米収容体の大きさは、箱体の内部に収まる程度の大きさであるが、とくに、箱体にちょうど収まる大きさとし、箱体と米収容体との間の空隙が小さくなるようにすれば、盆体の上に載せた際の見た目のバランスがよく、また箱体に収容した際に内部の米収容体が動くこともなく、望ましい。また、盆体が箱体の開口部を閉塞するとは、盆体が開口部を覆い、かつ盆体と箱体とが何らかの手段により結合され、容易に盆体がはずれることがないようにすることをいう。本発明においては、盆体を裏返し、箱体の上端を縁部にはめ込むことで、盆体により箱体の開口部を閉塞することができる。なお、箱体および盆体の素材は、紙、木、プラスチック、金属など、それぞれの形状を保つことができるものであればどのようなものであってもよいが、費用の点から、一枚の紙を折り曲げ組み立てて形成されることが望ましい。また、米収容体は、収容した米が見えるように、透明なプラスチックからなることが望ましい。
【０００６】
本発明のうち請求項２の発明は、前記盆体が、前記縁部の下端から内側に向けて延設される方立を有し、該方立が、その下端を軸に回動可能であることを特徴とする。方立とは、供花や三方において、供物の周囲に配される紡錘形の飾りである。通常、方立は一枚ずつ独立したものであるが、本発明においては、それを盆体と一体に形成する。方立と盆体とはどのような構造で結合されていてもよいが、もっとも簡便で望ましい構成としては、盆体の全体を一枚の紙で形成するものであって、板部の周縁から縁部を延設し、縁部の上端で折り返して、縁部の下端から方立を延設すればよい。
【発明の効果】
【０００７】
本発明のうち請求項１の発明によれば、神仏に米を供えるための供花や三方を、米を携帯するための容器としても使用できる。よって、神社仏閣においてお供えされた米を、参拝者が容易に持ち帰ることができ、お供えのご利益を得ることができる。
【０００８】
本発明のうち請求項２の発明によれば、供物の周囲に方立を配することで、お供えとしてよりふさわしい形状となる。また、方立は盆体と一体で、板部に接するように畳むことができるので、紛失することがなく、盆体により箱体の開口部を閉塞する際の妨げになることもない。
【発明を実施するための最良の形態】
【０００９】
本発明の供物米用容器の具体的な構成について、各図面に基づいて説明する。図１は、供物米用容器の分解斜視図である。箱体１は、水平方向断面形状が正六角形で、その上面に開口部１１が設けられ、内部には後述の米収容体３を収容できる空間を有する。そして、箱体１の上には盆体２が載置される。盆体２は、板部２１、縁部２２、方立２３および爪部２４からなる。板部２１は、箱体１と同じ正六角形で、箱体１より一回り大きく、その一部に切り込みが設けられ、その切り込み部分が下方に折り曲げられて爪部２４を形成する。爪部２４は箱体１の側面内側に対応した位置に設けられており、盆体２を箱体１の上に載置する際に、爪部２４が箱体１の上部内側に係止され、盆体２がずれるのを防ぐことができる。この爪部２４は、箱体１の一部の側面に対応する位置にのみ設けてもよいし、すべての側面に対応する位置に設けてもよい。また、板部２１の周縁からは、垂直上方に縁部２２が延設され、縁部２２の下端内側からは、方立２３が延設される。方立２３は紡錘形の平板で、その下端が盆体２と回動可能に結合されており、板部２１に接するように寝かせたり、縁部２２と接するように立てたりすることができる。さらに、盆体２の上には米収容体３が載置される。米収容体３は略半球形で、平面側を下方とし、開閉自在な蓋部３１を有する。米収容体３は、内部に収容する米が見えるように、透明なプラスチックにより形成される。
【００１０】
図２は、本発明により実際に米をお供えする状態を示す斜視図である。箱体１の上に盆体２が載置され、その上に米粒４を詰めた米収容体３が載置され、さらに米収容体３の周囲には方立２３が立てられている。また、爪部が箱体１の上部内側に係止されており、盆体２が箱体１からずれることがない。
【００１１】
図３は、本発明において米を箱体１に収容した状態を示す斜視図である。箱体１の内部に、米収容体３が収容されている。米収容体３の直径は、箱体１の六角形の対向する辺の間の長さよりわずかに小さく、このように収容した際に箱体１と米収容体３の間の空隙がほとんどなくなり、箱体１の内部で米収容体３が動くことがない。米収容体３を箱体１に収容したら、盆体２を裏返し、箱体１の蓋として使用し、開口部１１を閉塞する。この際、方立は板部２１に接するように寝かせておけば、閉塞の妨げにならない。あるいは、方立を縁部２２に接するように立てておき、箱体１と米収容体３の間に挿入するようにしてもよい。盆体２は箱体１より一回り大きいので、箱体１の上部が盆体２の縁部２２にはまり込み、盆体２が箱体１に固定され、開口部１１が確実に閉塞される。また、米収容体３の高さは箱体１の高さよりわずかに小さく、米収容体３は上下方向にも動くことがない。なお、爪部２４は必要ないので、寝かせておけばよい。
【００１２】
本実施例において、箱体および盆体は、それぞれ一枚の紙を折り曲げて形成される。このうち箱体については、底面と側面のみの形状であるが、盆体は、板部および縁部に加えて、回動可能な方立を有する。図４は、盆体２の展開図である。正六角形の板部２１の各辺から、長方形の縁部２２が延設される。縁部２２は、詳細には板部２１から延設される外壁２５ａ，２５ｂと、外壁２５ａ，２５ｂから延設される内壁２６ａ，２６ｂと、からなり、内壁２６ａ，２６ｂからさらに方立２３が延設される。さらに、隣接する縁部２２において、一方の外壁２５ａの両端には外耳部２７ａが設けられ、他方の内壁２６ｂの両端には内耳部２８ｂが設けられる。組み立てる際には、まず外壁２５ａを板部２１に対して垂直に立て、外耳部２７ａを内側に折り込む。続いて、隣接する外壁２５ｂを垂直に立て、外耳部２７ａを巻き込んで内壁２６ｂを内側に折り込む。そして、内耳部２８ｂを巻き込んで内壁２６ａを内側に折り込むと、板部２１の周縁に垂直な縁部２２が形成され、縁部２２の下端から方立２３が回動自在に延設された状態となる。また、板部２１には、爪部２４を形成する切り込みが設けられている。
【００１３】
図５は、本発明の供物米用容器の第二実施形態の斜視図である。本実施形態は三方として使用されるものであり、箱体１の水平方向断面形状および盆体２の板部２１の形状が正方形である。そして、箱体１の側面のうち三面には、孔１２が設けられている。この孔１２は、実際に貫通しているものでもよいし、そのように見える図柄を描いたものでもよい。また、本実施形態は方立を備えていないが、第一実施形態と同様、縁部２２の下端から方立を延設してもよい。その他の部分は第一実施形態と同様で、板部２１からは爪部が立設され、箱体１の上部内側に係止されている。図５のような状態でお供えをした後には、米収容体３を箱体１の内部に収め、盆体２を裏返して箱体１の上部を縁部２２にはめ込み、開口部を閉塞する。
【００１４】
本発明は、神社仏閣で配布・販売される縁起物として好適であるが、その際のとくに効果的な使用方法の例を以下に示す。まず、神社仏閣においては、図２や図５に示すように、供花や三方として使用された状態で置かれる。これはすなわち、その神社仏閣の神仏に対してお供えをしているのである。そして参拝者は、お供えの済んだご利益のある米を、箱体に収容してそのまま持ち帰ることができる。持ち帰った米は、通常の米と混ぜて炊くなどして食すればよい。また、自宅に神棚や仏壇がある場合には、持ち帰った米を改めてお供えしてもよい。その場合も、箱体から米収容体を取り出し、箱体の上に盆体を載せ、すぐにお供えをすることができる。このように、本発明によれば、神仏にお供えをしたご利益のある米を、誰しもが手軽に得ることができる。もちろん、上記使用方法は一例であり、米収容体を箱体に収めた状態で販売し、購入者が自宅の神棚や仏壇に供えてもよい。
【図面の簡単な説明】
【００１５】
【図１】本発明の供物米用容器の分解斜視図。
【図２】米を供物として飾り付けた状態を示す斜視図。
【図３】米を箱体に収容した状態を示す斜視図。
【図４】盆体の展開図。
【図５】供物米用容器の第二実施形態の斜視図。
【符号の説明】
【００１６】
１  箱体
２  盆体
３  米収容体
１１  開口部
２１  板部
２２  縁部
２３  方立
【図１】
2009039430.tif 000003
【図２】
2009039430.tif 000004
【図３】
2009039430.tif 000005
【図４】
2009039430.tif 000006
【図５】
2009039430.tif 000007